(57)【特許請求の範囲】
【請求項１】
線状の形成されたエリア内にある無線ＬＡＮ端末と無線によるＩＰ通信を行う無線ＬＡＮシステムであって、
前記エリアに配置された複数のアクセスポイントと、
前記アクセスポイントの作動を制御する無線ＬＡＮ管理装置と、
前記アクセスポイントの動作状況及び当該アクセスポイントがカバーする範囲を記憶する情報管理部と、を有し、
前記無線ＬＡＮ管理装置は、
所定の時間毎に起動されて前記アクセスポイントが正常に作動しているか否かを検査して当該アクセスポイントの動作状況を前記情報管理部に記憶するＡＰ動作確認部と、
前記情報管理部から前記アクセスポイントの前記動作状況を読み出し、正常に動作している前記アクセスポイントの起動・停止を決定して当該アクセスポイントの作動を制御するＡＰ動作制御部と、を有し、
前記ＡＰ動作制御部は、
前記エリアの最も起点側をカバーするアクセスポイントを前記情報管理部から抽出し、抽出した前記アクセスポイントのそれぞれを含むリストを生成する第１のステップ、
前のステップで抽出された前記アクセスポイントの各々に対して、当該アクセスポイントがカバーする範囲の終点をカバーするアクセスポイントを前記情報管理部から抽出して前記リストに追加する第２のステップ、及び、
前記エリアの終点に達するまで前記第２のステップを繰り返し、前記エリアの全体をカバーする前記アクセスポイントの組からなる前記リストを生成し、前記リストのうち前記アクセスポイントの数が最も少ないリストを選択し、当該リストに含まれる前記アクセスポイントを起動し、それ以外の前記アクセスポイントを停止する第３のステップ、を実行するように構成された無線ＬＡＮシステム。
【請求項２】
前記第２のステップにおいて、
前のステップで抽出された前記アクセスポイントがカバーする範囲の終点をカバーするアクセスポイントが前記情報管理部に存在しないときに、前記情報管理部に記憶されている前記アクセスポイントのうち、当該アクセスポイントがカバーする範囲の始点が、前記終点に最も近いアクセスポイントを抽出するように構成された請求項１に記載の無線ＬＡＮシステム。
【請求項３】
前記アクセスポイントに２以上の異なるチャネルのいずれかを割り当ててＩＰ通信を行うように構成されたときに、
前記ＡＰ動作制御部は、
前記チャネルのうちいずれか一つのチャネルを選択し、前記チャネルのいずれかが割り当てられていない前記アクセスポイントに対して前記第１から第３のステップを実行し、選択された前記アクセスポイントを当該チャネルで動作させる、という処理を前記チャネルのすべてに対して繰り返し実行するように構成された請求項１または２に記載の無線ＬＡＮシステム。
【請求項４】
前記ＡＰ動作制御部は、前記アクセスポイントの動作状況が変化したときに実行されるように構成された請求項１〜３いずれか一項に記載の無線ＬＡＮシステム。
【発明の詳細な説明】
【技術分野】
【０００１】
本発明は、エリア内にある無線ＬＡＮ端末と無線によるＩＰ通信を行う無線ＬＡＮシステムに関し、特に詳細には同一チャネルを使用する複数のアクセスポイントの作動を動的に制御することにより、アクセスポイント間の干渉を少なくすることができる無線ＬＡＮシステムに関する。
【背景技術】
【０００２】
鉄道沿線など広範囲にわたって無線ＬＡＮサービスを実現する場合には、複数のアクセスポイントを、サービスエリアをカバーするように配置する必要がある。また、アクセスポイントの故障時にもサービスを提供できるようにするためには、ある程度冗長にアクセスポイントを配置する必要がある。このような複数のアクセスポイントから最適なアクセスポイントを選択して接続する方法としては、無線ＬＡＮ端末が干渉の少ないチャンネルをサーチして使用するチャネルを選択し、他の端末がそのチャネルを使う方式（例えば、特許文献１参照）や、無線ＬＡＮ端末が雑音の少ないチャネルを探査して選択する方式（例えば、特許文献２参照）が開発されている。
【特許文献１】特開２００６−３５２８３５号公報
【特許文献２】特開平８−１４９１３２号公報
【発明の開示】
【発明が解決しようとする課題】
【０００３】
しかしながら、アクセスポイントを多数配置すると、同一チャネルを使用しているために、相互に干渉を与え伝送品質が低下するという課題がある。したがって、必要以上のアクセスポイントが設置されている場合には、どのアクセスポイントを使用するかを、アクセスポイントの故障状態等を動的に判断して決定し、サービスを安定して提供できるアクセスポイントを起動し、残りのアクセスポイントを停止させるという制御を行う必要がある。
【０００４】
本発明はこのような課題に鑑みてなされたものであり、同一チャネルを使用する複数のアクセスポイントの作動を動的に制御することにより、アクセスポイント間の干渉を少なくすることができる無線ＬＡＮシステムを提供することを目的とする。
【課題を解決するための手段】
【０００５】
前記課題を解決するために、本発明に係る無線ＬＡＮシステムは、線状に形成されたエリア内にある無線ＬＡＮ端末と無線によるＩＰ通信を行うシステムであって、エリアに配置された複数のアクセスポイントと、これらのアクセスポイントの作動を制御する無線ＬＡＮ管理装置と、アクセスポイントの動作状況及び当該アクセスポイントがカバーする範囲を記憶する情報管理部と、を有して構成される。また、無線ＬＡＮ管理装置は、所定の時間毎に起動されてアクセスポイントが正常に作動しているか否かを検査して当該アクセスポイントの動作状況を情報管理部に記憶するＡＰ動作確認部と、情報管理部からアクセスポイントの動作状況を読み出し、正常に動作しているアクセスポイントの起動・停止を決定して当該アクセスポイントの作動を制御するＡＰ動作制御部と、を有する。そして、ＡＰ動作制御部は、エリアの最も起点側をカバーするアクセスポイントを情報管理部から抽出し、抽出したアクセスポイントのそれぞれを含むリストを生成する第１のステップ、前のステップで抽出されたアクセスポイントの各々に対して、当該アクセスポイントがカバーする範囲の終点をカバーするアクセスポイントを情報管理部から抽出してリストに追加する第２のステップ、及び、エリアの終点に達するまで第２のステップを繰り返し、エリアの全体をカバーするアクセスポイントの組からなるリストを生成し、これらのリストのうちアクセスポイントの数が最も少ないリストを選択し、当該リストに含まれるアクセスポイントを起動し、それ以外のアクセスポイントを停止する第３のステップ、を実行するように構成される。
【０００６】
このような本発明に係る無線ＬＡＮシステムは、第２のステップにおいて、前のステップで抽出されたアクセスポイントがカバーする範囲の終点をカバーするアクセスポイントが情報管理部に存在しないときに、この情報管理部に記憶されているアクセスポイントのうち、当該アクセスポイントがカバーする範囲の始点が、前のステップで抽出されたアクセスポイントがカバーする範囲の終点に最も近いアクセスポイントを抽出するように構成されることが好ましい。
【０００７】
また、このような本発明に係る無線ＬＡＮシステムは、アクセスポイントに２以上の異なるチャネルのいずれかを割り当ててＩＰ通信を行うように構成されたときに、ＡＰ動作制御部は、これらのチャネルのうちいずれか一つのチャネルを選択し、前記チャネルのいずれかが割り当てられていない前記アクセスポイントに対して第１から第３のステップを実行し、選択されたアクセスポイントを当該チャネルで動作させる、という処理をチャネルのすべてに対して繰り返し実行するように構成されることが好ましい。
【０００８】
さらに、このような本発明に係る無線ＬＡＮシステムにおいて、ＡＰ動作制御部は、アクセスポイントの動作状況が変化したときに実行されるように構成されることが好ましい。
【発明の効果】
【０００９】
本発明に係る無線ＬＡＮシステムを以上のように構成すると、高品質な無線ＬＡＮ通信を実現することができるとともに、無線通信システムの信頼性を高めることができる。また、不要な電波の送出を停止することで、この無線ＬＡＮシステムで消費するエネルギー（電力）を少なくすることができる。
【発明を実施するための最良の形態】
【００１０】
以下、本発明の好ましい形態について図面を参照して説明する。まず、図１を用いて本発明に係る無線ＬＡＮシステムについて説明する。この無線ＬＡＮシステム１は、例えば鉄道Ｒを走行する列車Ｔに搭載された無線ＬＡＮ端末７と地上とのＩＰによるデータ通信を提供するものであり、鉄道沿線のように線状に延びるエリアに所定の間隔を空けて配置される複数のアクセスポイント４と、このアクセスポイン４間をつなぎ、ネットワークを流れるデータの制御を行うスイッチ３と、複数のアクセスポイント４の動作状態の管理及び制御を行う無線ＬＡＮ管理装置２とから構成される。なお、図１に示すように、沿線のエリアにアクセスポイント４として、ＡＰ１〜ＡＰ５の５台のアクセスポイントが設置されている場合に、これらのアクセスポイント４は、冗長に配置されており、例えば、ＡＰ２に障害が発生しても、ＡＰ１とＡＰ３とにより通信エリアが確保できるように配置されている。
【００１１】
無線ＬＡＮ管理装置２は、例えば、線区を統括管理する指令所または駅に設置されており、沿線に配置されたアクセスポイント４とはスイッチ３等を介してＩＰ接続されている。この無線ＬＡＮ管理装置２は、例えばハードディスク等の外部記憶装置で構成された情報管理部６を有し、管理対象のアクセスポイント４の情報を図２に示すデータ構造を有するアクセスポイント管理情報６１として記憶している。このアクセスポイント管理情報６１は、アクセスポイント４を識別するための識別情報を記憶するＡＰ名称カラム６１ａと、各々のアクセスポイント４の動作状況を管理する動作状況カラム６１ｂと、各々のアクセスポイント４の設置位置（例えば、通信サービス対象エリアの起点からの距離）を管理する設置位置カラム６１ｃと、各々のアクセスポイント４がカバーする範囲を管理する始点カラム６１ｄ及び終点カラム６１ｅとから構成される。なお、動作状況カラム６１ｂを除くこれらの情報は予めこの情報管理部６にアクセスポイント管理情報６１として記憶されている。
【００１２】
この無線ＬＡＮ管理装置２は、図３に示すように、アクセスポイント４の動作状況を確認して情報管理部４のアクセスポイント管理情報６１に記憶するＡＰ動作確認部２１と、アクセスポイント管理情報６１等を用いてアクセスポイント４の作動を制御するＡＰ動作制御部２２とから構成され、これらのＡＰ動作確認部２１及びＡＰ動作制御部２２は、ＬＡＮインタフェース（ＬＡＮ  Ｉ／Ｆ）２３を介してスイッチ３及びアクセスポイント４とＩＰパケットの送受信を行うように構成されている。
【００１３】
また、アクセスポイント４は、図４に示すように、スイッチ３とＩＰパケットの送受信を行うＬＡＮインタフェース（ＬＡＮ  Ｉ／Ｆ）４１と、アンテナ４６を介して列車Ｔに搭載された無線ＬＡＮ端末７と無線ＬＡＮ通信を行う無線ＬＡＮインタフェース（無線ＬＡＮ  Ｉ／Ｆ）４２と、ＬＡＮインタフェース４１及び無線ＬＡＮインタフェース４２との間のＩＰパケットの送受信を制御する通信処理部４３と、このアクセスポイント４の動作状態を監視する状態監視部４４と、無線ＬＡＮインタフェース４２に供給される電源を制御することにより、このアクセスポイント４の動作を制御する電源制御部４５とから構成される。
【００１４】
無線ＬＡＮ管理装置２が起動されると、ＡＰ動作確認部２１は、各々のアクセスポイント４の状態監視部４４と通信を行い動作状態の取得を行う。動作状態の取得方法としては、アクセスポイント４に備わっている管理用手段（例えばＷｅｂブラウザによるアクセス、専用ツールを用いたアクセス、など）により実現される。ＡＰ動作確認部２１は、アクセスポイント４から無線ＬＡＮインタフェース４２が異常であるとの通知を受けた場合や、アクセスポイント４からの応答が規定時間内にない場合などは、当該アクセスポイント４の異常と判定し、アクセスポイント管理情報６１における該当するアクセスポイント４の動作状況カラム６１ｂに「障害」と記録する。反対に、アクセスポイント４から無線ＬＡＮインタフェース４２が正常に動作しているとの応答を受信した場合には、動作状況カラム６１ｂに「動作中」と記録し、停止中であるとの応答を受信した場合には動作状況カラム６１ｂに「停止中」と記録する。なお、このＡＰ動作確認部２１は、上記起動時の処理以降も、所定の時間間隔で実行されて、上記処理を行い、アクセスポイント４の動作状態を取得してアクセスポイント管理情報６１に記録する。
【００１５】
無線ＬＡＮ管理装置２の起動時において、ＡＰ動作確認部２１の処理が終了すると、次に、ＡＰ動作制御部２２が実行される。上述のように、この無線ＬＡＮシステム１においては、アクセスポイント４は冗長に配置されているので、ＡＰ動作制御部２２は、必要なアクセスポイント４を判定し、それだけを起動し、残りは停止するようにする。アクセスポイント４の起動及び停止は、上記と同じくアクセスポイント４に備わっている管理用手段により行うことができる（アクセスポイント４を停止する場合には、このアクセスポイント４そのものの動作を停止するのではなく、図４に示した構成のように、無線ＬＡＮインタフェース４２の電源を制御して使用を停止するようにするのが良い）。「停止」制御を行ったアクセスポイント４については、アクセスポイント管理情報６１の動作状況カラム６１ｂに「停止中」と設定する。それでは、このＡＰ動作制御部２２による必要なアクセスポイント４を判定して動作させる方法について説明する。
【実施例１】
【００１６】
（第１の判定方法：静的に判定する方法）
まず、第１の判定方法は、情報管理部６に、図５に示すアクセスポイント起動情報６２を予め記憶しておき、ＡＰ動作制御部２２はこの情報に基づいて起動するアクセスポイント４を決定する。具体的には、アクセスポイント起動情報６２は、故障したアクセスポイントを記憶する故障ＡＰカラム６２ａと、この故障ＡＰカラム６２ａに記憶されているアクセスポイント４が故障したときに動作させるアクセスポイント４及び停止させるアクセスポイント４を記憶する動作させるＡＰカラム６２ｂ及び停止させるＡＰカラム６２ｃを有して構成される。そして、アクセスポイント管理情報６１を参照して故障しているアクセスポイント４を抽出し、そのアクセスポイント４とアクセスポイント起動情報６２の故障ＡＰカラム６２ａとを比較し、一致するときの動作させるＡＰカラム６２ｂに設定されているアクセスポイント４を起動し、停止させるＡＰカラム６２ｃに設定されているアクセスポイント４を停止させる。
【００１７】
（第２の判定方法：動的に判定する方法）
上述の第１の判定方法では、予め設定されているアクセスポイント起動情報６２に基づいて動作させるアクセスポイント４を決定していたが、ここでは、アクセスポイント管理情報６１に基づいて動的に決定する方法について説明する。具体的には、アクセスポイント管理情報６１の始点及び終点カラム６１ｄ，６１ｅに記憶されている情報に基づいて判定する。図６に示すように、まず、無線ＬＡＮ管理装置２により管理されるアクセスポイント４が設置されているエリアの最も起点側をカバーするアクセスポイント４のうち動作中または停止中のアクスセスポイント４を抽出し、そのアクセスポイント４をリストに追加する（ステップＳ１００）。なお、ここでカバーするアクセスポイント４とは、始点カラム６１ｄ及び終点カラム６１ｅに設定されている範囲に、エリアの始点を含むアクセスポイント４のことである。そして、抽出したアクセスポイント４がカバーするエリアの終点を終点カラム６１ｅから抽出、この終点をカバーするアクセスポイント４（動作中または停止中のもののみ）を抽出し、リストに追加する（ステップＳ１１０）。ここで、上述のアクセスポイント４がカバーする範囲の終点をカバーするアクセスポイント４が複数あるときは、それぞれを別のリストとして管理する。そして、エリアの終点に来るまでステップＳ１１０を繰り返し（ステップＳ１２０）、エリアの終点まで達すると、作成されたリストのうち、アクセスポイント４の数が最も少ないリストを選択し、そのリストに含まれるアクセスポイント４を起動し、残りのアクセスポイント４を停止する（ステップＳ１３０）。なお、アクセスポイント４の数が最も少ないリストが複数あった場合には、アクセスポイント管理情報６１を参照し、その複数のリストに含まれるアクセスポイント４のうち、現在動作しているアクセスポイント４が最も多く含まれるリストを採用し、なければそれらのリストの中からいずれか一つのリストを任意に選択する。
【００１８】
具体的には、図２の場合で説明すると次のようになる。なお、ここでは、図２に示すすべてのアクセスポイント４が正常に動作中であるとする。まず、アクセスポイント管理情報６１を参照し、このエリアの始点である０ｋ０００ｍをカバーするアクセスポイント４を抽出すると、ＡＰ１及びＡＰ２が抽出される。
【００１９】
次に、ＡＰ１のカバーする範囲の終点である０ｋ９００ｍをカバーするアクセスポイント４を抽出すると、ＡＰ２及びＡＰ３が抽出されるので、｛ＡＰ１，ＡＰ２｝と｛ＡＰ１，ＡＰ３｝というリストを作成する。一方、ＡＰ２の終点である１ｋ２００ｍをカバーするアクセスポイント４を抽出すると、ＡＰ３及びＡＰ４が抽出されるので、｛ＡＰ２，ＡＰ３｝と｛ＡＰ２，ＡＰ４｝というリストを作成する。
【００２０】
このようにしてエリアの終点である２ｋ０００ｍまで上記の抽出を続けて行くと、最終的に、｛ＡＰ１，ＡＰ２，ＡＰ３，ＡＰ４｝、｛ＡＰ１，ＡＰ３，ＡＰ４｝、｛ＡＰ１，ＡＰ３，ＡＰ５｝、｛ＡＰ２，ＡＰ３，ＡＰ４｝、｛ＡＰ２，ＡＰ３，ＡＰ５｝、｛ＡＰ２，ＡＰ４｝というリストが作成される。そして、これらのリストからアクセスポイント数が最も少ないリスト｛ＡＰ２，ＡＰ４｝を選択し、ＡＰ２，ＡＰ４を起動し、残りのアクセスポイント４を停止する。
【００２１】
一方、図２に示す構成において、ＡＰ１とＡＰ４が故障した場合には、上記の処理により｛ＡＰ２，ＡＰ３，ＡＰ５｝というリストが作成されるので、これらのアクセスポイント４を起動し、残りのアクセスポイント４を停止する。また、ＡＰ２とＡＰ３が同時に故障した場合等、全線がカバーできなくなった場合には、カバーできる最後の終点に最も近い始点をもつアクセスポイント４から上記処理を再開する。たとえばＡＰ２とＡＰ３が故障した場合、ＡＰ１の終点である０ｋ９００ｍに最も近い始点はＡＰ４の１ｋ５００ｍであるので、ＡＰ４から手順を再開すると｛ＡＰ１，ＡＰ４｝というリストができるので、これを採用する。
【００２２】
以上のようにすると、エリア全域をカバーし、かつ、アクセスポイント４間同士の干渉が起こる範囲をできるだけ狭めることができる。なお、ＡＰ動作制御部２２は、ＡＰ動作確認部２１により検出されたアクセスポイント４の動作状態が変化したときに起動されることにより、アクセスポイント４の故障等に動的に対応することができ、無線ＬＡＮサービスを継続して提供することができる。また、冗長に配置されているアクセスポイント４の無線通信の電源を切ることにより、不要な電波の送出を停止することができ、この無線ＬＡＮシステムで消費するエネルギー（電力）を少なくすることができる。
【実施例２】
【００２３】
（上下線で別チャネルを使う構成）
鉄道Ｒが複線で構成されている場合には、上下線を走行する列車Ｔのそれぞれに対して別の無線チャネルを使うことにより、通信容量は倍増する。この場合も、上述の第２の判定方法で説明した手法によりアクセスポイント４間の干渉を低減して無線ＬＡＮシステム１の信頼性を向上することができる。ただし、この場合、アクセスポイント管理情報６１の動作状況カラム６１ｂにおいて、「動作中」の代わりに、上り線と下り線のいずれに対して通信を提供しているのかを示すために「上り」及び「下り」という情報を管理する（すなわち、動作状況カラム６１ｂには「上り」「下り」「故障」「停止中」のいずれかが記憶される）。また、アクセスポイント４に対する制御動作としては「起動」「停止」だけでなく、「上り」「下り」に応じたチャネルを設定する制御も行う。
【００２４】
例えば、図７に示すような７台のアクセスポイント４から構成されており、上り線にチャネル１、下り線にチャネル７を割り当てるものとする。この場合、列車Ｔ上の無線ＬＡＮ端末７のチャネルも上りか下りかに応じてそれぞれチャネル１またはチャネル７に固定されているものとする。
【００２５】
このような構成において、上述の第２の判定方法を動作状況が「故障」のアクセスポイント４を除いて実行すると、まずリスト｛ＡＰ２，ＡＰ４｝が選択されるので、これらのアクセスポイント４を上り線用として使うことにし、動作状況カラム６１ｂに「上り」と設定する。次に、動作状況が「上り」または「故障」のアクセスポイント４を除いて再度上述の第２の判定方法を実行すると、｛ＡＰ１，ＡＰ３，ＡＰ５｝及び｛ＡＰ１，ＡＰ６，ＡＰ７｝が抽出されるので、例えば｛ＡＰ１，ＡＰ３，ＡＰ５｝を選択し、これらの動作状況カラム６１ｂは「下り」と設定する。そして、使われないアクセスポイント４（ＡＰ６，ＡＰ７）は「停止中」とし、それぞれのアクセスポイント４に対する制御を行う（すなわち「上り」のアクセスポイント４に対しては無線チャネルをチャネル１に設定し、「下り」のアクセスポイント４に対しては無線チャネルをチャネル７に設定し、「停止中」のアクセスポイント４に対しては無線出力を停止する。
【００２６】
この状態で、たとえばＡＰ４が故障し、ＡＰ動作制御部２２により第２の判定方法が実行されると、上り用に｛ＡＰ２，ＡＰ６，ＡＰ７｝というリストが抽出されるので、新たにＡＰ６，ＡＰ７が上り用のアクセスポイント４として使われるようになる。一方、ＡＰ３が故障すると、下り用に｛ＡＰ１，ＡＰ６，ＡＰ７｝というリストが抽出され、ＡＰ６，ＡＰ７は下り用のアクセスポイント４として使われるようになる。そのため、このようにして、各アクセスポイント４は自動的に上りまたは下りのバックアップ用として使用でき、少数の冗長構成で信頼性を向上することができる。
【実施例３】
【００２７】
（時間帯に応じて別チャネルを使う構成）
これは、例えば夜間の保守作業用に別無線チャネルを割り当てるものである。この場合、無線ＬＡＮ管理装置２は、図８に示すような作業時間情報６３を情報管理部６に記憶して使用する。作業時間情報６３には、作業内容を識別するための情報を記憶する作業内容カラム６３ａと、作業の開始時刻及び終了時刻を記憶する開始時刻カラム６３ｂ及び終了時刻カラム６３ｃと、使用する無線チャネルを記憶する無線チャネルカラム６３ｄとを有しており、これらの情報は予め情報管理部６に記憶される。この図 ８には、ある一日の作業時間情報の例を示している。また、保守作業等の時には、作業員はＰＤＡ等の無線ＬＡＮが使用できる端末を持っているものとする（端末の無線チャネルは保守作業用に割り当てられたチャネルに固定しているものとする)。
【００２８】
そして、ＡＰ動作制御部２２は、作業時間情報６３に設定されたアクセスポイント４を無線チャネルカラム６３ｄに設定されている無線チャネルで起動する。すなわち、この構成の場合は、無線ＬＡＮ管理装置２におけるＡＰ動作制御部２２は、ＡＰ動作確認部２１による アクセスポイント４によるアクセスポイント４の動作状態のチェックのときだけでなく、いずれかの作業開始時刻及び作業終了時刻になった場合にも起動される。図８の例では、たとえば１０時から１７時には無線チャネル１，４，７が使われるようにアクセスポイント４が構成され、１時〜４時には無線チャネル１１だけが使われるように構成される。
【００２９】
このような構成にし、作業員端末に無線ＬＡＮに接続できなければ警報を発するというアプリケーションを組み込んでおけば、その区間は作業対象でない（すなわち、列車Ｔが走行する可能性がある区間である）と判断することができ、作業の安全性を増すことも可能となる。
【図面の簡単な説明】
【００３０】
【図１】本発明に係る無線ＬＡＮシステムの構成を示すブロック図である。
【図２】アクセスポイント管理情報のデータ構造を示す説明図である。
【図３】無線ＬＡＮ管理装置の構成を示すブロック図である。
【図４】アクセスポイントの構成を示すブロック図である。
【図５】アクセスポイント起動情報のデータ構造を示す説明図である。
【図６】第２の判定方法の処理を示すフローチャートである。
【図７】第２の実施例におけるアクセスポイント管理情報の内容を示す説明図である。
【図８】第３の実施例における作業時間情報のデータ構造を示す説明図である。
【符号の説明】
【００３１】
１  無線ＬＡＮシステム    ２  無線ＬＡＮ管理装置    ４  アクセスポイント
６  情報管理部    ２１  ＡＰ動作確認部    ２２  ＡＰ動作制御部
【図１】
0004944822.tif 000002
【図２】
0004944822.tif 000003
【図３】
0004944822.tif 000004
【図４】
0004944822.tif 000005
【図５】
0004944822.tif 000006
【図６】
0004944822.tif 000007
【図７】
0004944822.tif 000008
【図８】
0004944822.tif 000009